(57)【要約】【課題】窓付きカートンにおけるヘッダーのためのブランクシートの延長がなく、ブランクシート延長による用紙のコストアップを解消し、カートンの密封性や密閉性を向上させて、ヘッダーのカートン外側への延長によるブランクシートの梱包作業、輸送面における負の効果のない窓付きカートンを提供する。【解決手段】多角形、円形の筒状体の側壁板部Ａと底壁板部Ｂと上壁板部Ｃとからなり、側壁板部の一部外壁板領域に窓孔部ｗが孔設され、該窓孔部上方の側壁板部と上壁板部が作るカートン境界稜線に沿って側壁板部と上壁板部との不連設部Ｌを備えた窓付きカートンであって透明フィルムＦが上壁板部の上方にその端部を突出させて不連設部Ｌより側壁板部の裏面に重ね合わせ密着されて差し込まれ又は貼り合わされて、前記窓孔部ｗが被覆され窓貼りされている。【選択図】図２
2013014372.tif 000002
【特許請求の範囲】
【請求項１】
一乃至複数枚の外壁板から構成される筒状体の側壁板部と、底壁板部と、上壁板部とからなり、前記筒状体の側壁板部の一部外壁板領域に窓孔部が孔設され、該窓孔部上方の側壁板部と上壁板部が作るカートン境界稜線に沿って、側壁板部と上壁板部との不連設部を備えた窓付きカートンであって、透明フィルムが上壁板部の上方にその端部が突出するように、前記側壁板部と上壁板部との前記不連設部より側壁板部の裏面に重ね合わせ密着されて、差し込まれ又は貼り合わされていて、前記窓孔部が被覆され窓貼りされていることを特徴とする窓付きカートン。
【請求項２】
前記筒状体の側壁板部が、三角形筒状、四角形筒状、多角形筒状等の複数枚の外壁板から構成される角形筒状体の側壁板部であることを特徴とする請求項１記載の窓付きカートン。
【請求項３】
前記筒状体の側壁板部が、円形、楕円形筒状の一枚の外壁板から構成される円筒形状体の側壁板部であることを特徴とする請求項１記載の窓付きカートン。
【発明の詳細な説明】
【技術分野】
【０００１】
本発明は、紙製の店頭陳列用のカートンに関し、カートンに包装された内容物を見せるための窓部を備えた窓付きカートンに関する。
【背景技術】
【０００２】
窓部に透明フィルムを窓貼りした従来の窓貼りカートンとしては、例えば、特許文献１に記載するようなものがあり、また図６（ａ）に示す窓貼りカートンのように、カートン正面板に窓孔部ｗを孔設し、その窓孔部ｗを透明なプラスチックフィルムＦにて窓貼りした窓付きカートンがあるが、店頭陳列では、カートン内の商品（内容物）を窓部から見せるためだけの役割であったため、商品を強調したい場合には、カートン本体の他に別途、ＰＯＰシール等をカートン本体にシールしたりする必要があり、そのために店頭陳列や販売におけるコストアップに繋がる傾向があった。
【０００３】
一般的に見受けられる窓付きカートン（紙箱）は、紙製の窓付きカートンブランクシートの延長部位にヘッダーを設け、その紙製のヘッダーに孔設したフック孔をフックハンガーに取り付けるようにしたものがあるが、ヘッダーのためのブランクシートの延長によるスペース分が大きくなり、ブランクシート延長による用紙のコストアップや、ヘッダーのカートン外側への延長による梱包、輸送面における負の効果を持つことになる。
【０００４】
このように窓付きカートンにフック孔を設ける商品の場合には、図６（ｂ）に示すように、フック孔Ｈを設けるためのヘッダーＤ部分の台紙延長が必要であり、紙取りや紙のコストアップとなり、また図６（ｃ）に示すように、カートン天面からフック孔Ｈを設けるためのフックＤを立ち起こすタイプのカートンは、フック立ち起こし部位の天面に孔ができるために密封性を損なうものである。
【先行技術文献】
【特許文献】
【０００５】
【特許文献１】実開昭６１−１１７１１４号公報
【発明の概要】
【発明が解決しようとする課題】
【０００６】
本発明の課題は、窓付きカートンにおいて、ヘッダーのためのブランクシートの延長がなく、ブランクシート延長による用紙のコストアップを解消し、カートンの密封性や密閉性を向上させて、ヘッダーのカートン外側への延長によるブランクシートの梱包作業や輸送面における負の効果のない窓付きカートンを提供することにある。
【課題を解決するための手段】
【０００７】
本発明の請求項１に係る発明は、一乃至複数枚の外壁板から構成される筒状体の側壁板部と、底壁板部と、上壁板部とからなり、前記筒状体の側壁板部の一部外壁板領域に窓孔部が孔設され、該窓孔部上方の側壁板部と上壁板部が作るカートン境界稜線に沿って、側壁板部と上壁板部との不連設部を備えた窓付きカートンであって、透明フィルムが上壁板部の上方にその端部が突出するように、前記側壁板部と上壁板部との前記不連設部より側壁板部の裏面に重ね合わせ密着されて、差し込まれ又は貼り合わされていて、前記窓孔部が被覆され窓貼りされていることを特徴とする窓付きカートンである。
【０００８】
本発明の請求項２に係る発明は、上記請求項１に係る窓付きカートンにおいて、前記筒状体の側壁板部が、三角形筒状、四角形筒状、多角形筒状等の複数枚の外壁板から構成さ
れる角形筒状体の側壁板部であることを特徴とする窓付きカートンである。
【０００９】
本発明の請求項３に係る発明は、上記請求項１に係る窓付きカートンにおいて、前記筒状体の側壁板部が、円形、楕円形筒状の一枚の外壁板から構成される円筒形状体の側壁板部であることを特徴とする窓付きカートンである。
【発明の効果】
【００１０】
本発明の窓付きカートンによれば、一般的に見られる窓付きカートンのブランクシート及び窓付きカートンの外観でありながら、そのカートンブランクシートの窓部に、透明フィルムを固定し、その透明フィルムの一端を、カートンブランクシートの外側に延長させて、そのフィルムの全面あるいは延長領域（上端部）あるいは窓孔部に該当する領域の表面と裏面のいずれか又は表裏両面に、カートン内に収納されている商品に関する情報を、絵柄、彩色、文字等の印刷を施して表示したり、そのフィルムの延長領域をカートンヘッダーとして、フック孔を設けることにより、窓付きカートンの外側に、店頭陳列におけるアイキャッチャー効果や吊り下げ機能を有するヘッダーを設けることができる。
【００１１】
このように本発明の窓付きカートンによれば、窓貼り用の透明フィルムの延長領域に絵柄、彩色、文字等の印刷を施したり、そのフィルム延長領域をカートンヘッダーとして、フック孔を設けるため、窓付きカートンの紙製ブランクシートの延長部位にヘッダーを設け、そのヘッダーにフック孔を孔設し、フック孔をフックハンガーに吊り下げできるようにした既存の窓付きカートンと比較して、ヘッダーのためのブランクシート延長部位がなく、そのためシートスペース分が小さくなり、ブランクシート延長によるコストアップが解消される。またカートン外側へのヘッダーの延長による梱包、輸送面における負の効果が解消される。
【００１２】
また同時に、窓部に窓貼りされた透明フィルムに、中身（商品）と同調させたデザインや印刷を施すことにより、ヘッダーに施した商品訴求情報、商品解説等が、立体空間を感じさせる表現となり、さらにデザインによっては、フィルムを透かしてギミック性を持たせることができるようになり、また、商品とのカラーリング効果により、大きなインパクトをパッケージに付与することとなる。
【図面の簡単な説明】
【００１３】
【図１】本発明の一実施例のカートン構造を説明する窓付きカートンの全体組み立て斜視図。
【図２】本発明の一実施例のカートン外観を説明する窓付きカートンの全体完成斜視図。
【図３】本発明の窓付きカートンの一実施例に使用するカートンブランクシートの平面図。
【図４】本発明の窓付きカートンの一実施例に使用するカートンブランクシートの窓孔部に透明フィルムを窓貼りした展開平面図。
【図５】本発明の窓付きカートンの一実施例に使用するカートンブランクシートの窓孔部に透明フィルムを窓貼りしたＸ−Ｘ側断面図。
【図６】従来の窓付きカートンの全体の外観形状を説明する斜視図。
【発明を実施するための形態】
【００１４】
本発明の窓付きカートンの一実施の形態を、図１に示す窓付きカートンの全体組み立て斜視図に基づいて、以下に詳細に説明すれば、本発明の窓付きカートンは、垂直乃至略垂
直方向の１乃至複数枚の外壁板から構成される筒状体の側壁板部Ａと、該外壁板Ａの下端を閉鎖する底壁板部Ｂと、上壁板部Ｃとを備えるカートンであり、前記筒状体の側壁板部Ａを構成する外壁板の一部の領域には、窓孔部ｗ（１ａ）が孔設されて窓付きカートンとなっている。
【００１５】
前記窓付きカートンの側壁板部Ａを構成する外壁板のうち、窓孔部ｗを孔設した外壁板における該窓孔部ｗの上方の外壁板に相当する側壁板部Ａと、上壁板部Ｃが作る境界稜線に沿って、側壁板部Ａと上壁板部Ｃは、互いに不連設部Ｌとなっていて、その不連設部Ｌから厚味の薄い透明フィルムＦ（硬質樹脂フィルム、軟質樹脂フィルム）が差し込み通過できる程度の隙間を備えている。
【００１６】
そして、窓付きカートンには、透明フィルムＦが、そのフィルム下端部７ａ（Ｆａ）から、上壁板部Ｃの上方に、そのフィルムＦの上端部７ｂ（Ｆｂ）を突出させて、側壁板部Ａの裏面側に重ね合わせられて装填されていて、前記窓孔部ｗ（１ａ）は透明フィルムＦにより被覆され、カートン内部と外部とを遮断されて窓貼りされて、図１の全体組み立て斜視図に示す本発明の窓付きカートンは、図２の全体完成斜視図に示す外観の本発明の窓付きカートンが形成されている。
【００１７】
前記側壁板部Ａ、底壁板部Ｂ、上壁板部Ｃからなる本発明の窓付きカートンの外面と側壁板部Ａのいずれか、又は外面及び側壁板部Ａの窓孔部ｗ（１ａ）領域と側壁板部Ａ上端部１ａから張り出した領域のいずれか、又は窓孔部ｗ（１ａ）領域及び側壁板部Ａ上端部１ａから張り出した領域にある透明フィルムＦ（７）には、それぞれカートン内に収納される商品、内容物に関する文字情報や彩色が印刷等にて施されている。
【００１８】
なお図１、図２において、窓付きカートンの窓孔部ｗを窓貼りする透明フィルムＦは、窓付きカートンを組み立てた後に、そのフィルム下端部７ａ（Ｆａ）を側壁板部Ａと上壁板部Ｃが作る境界稜線に沿って備える前記不連設部Ｌ（隙間）から、上壁板部Ｃの上方にそのフィルムＦの上端部７ｂ（Ｆｂ）を突出させて、差し込み、その不連設部Ｌ（隙間）にてタイトに挟み込みこんで、あるいは、接着剤（接着テープ、粘着テープ）、綴じ金具などにて固定できるようにしてもよい。また、組み立て前のカートンブランクシートの状態で、側壁板部Ａの窓孔部ｗに透明フィルムＦを接着材にて貼り合わせて固定した後に、カートンとして組み立てるようにしてもよい。
【００１９】
本発明の一実施例の窓付きカートンを、図３に示す一実施例のカートンブランクシートに基づいて以下に説明すれば、まず窓付きカートンを構成する四角形状筒状体の側壁板部Ａは、四枚の外壁板、即ち、窓孔部１ａ（ｗ）が孔設された正面板１と、両側面板２、２と、背面板４とから構成され、底壁板部Ｂは、底面板３、６と、下フラップ板２ｂ、２ｂとから構成され、上壁板部Ｃは、上面板５と上フラップ板２ａ、２ａとから構成されている。
【００２０】
図３に示す一実施例のブランクシートにおいては、前記正面板１の左右両側には、折目ａ、ａを介して両側面板２、２が連設され、そのいずれか一方の側面板２の一端には折目ｃを介して背面板４が連設され、正面板１の下端には、折目ｅを介して底面板３が連設され、両側面板２、２の上端には、折目ｆ、ｆを介して上フラップ２ａ、２ａが連設され、該両側面板２、２の下端には、折目ｇ、ｇを介して下フラップ２ｂ、２ｂが連設されている。
【００２１】
また、背面板４の上端には折目ｈを介して上面板５が連設され、上面板５の上端には折目ｊを介して差込片５ａが連設され、該背面板４の下端には折目ｉを介して底面板６が連設され、側面板２の外端又は背面板４の外端には、正面板１と両側面板２、２と背面板４
とによる筒状体を形成するための貼着板４ａが連設されている。
【００２２】
そして、図４に示すようにブランクシートの正面板１の裏面相当面（カートンに収納される内容物と接する面側）には、硬質又は軟質の合成樹脂製の透明フィルム７（Ｆ）が、そのフィルム下端部７ａからフィルム中間部にかけて正面板１に孔設された窓孔部１ａ（ｗ）を被覆するように貼着領域８にて貼着され、その合成樹脂製の透明フィルム７（Ｆ）の上端部７ａは、ブランクシートの正面板１の上端部１ｂ（Ｌ）から張り出し突出して取り付けられている。図５は、図４のＸ−Ｘ側断面図である。
【００２３】
本発明の窓付きカートンの組み立て方を、図４、図５に示すブランクシートに基づいて以下に詳細に説明すれば、まず折目ｄを介して貼着板４ａを背面板４上に折り返し、折目ｂを介して、両側面板２、２のうち正面板１の外端側にある側面板２と正面板１の上に、正面板１の内端側にある側面板２と背面板４を、貼着板４ａの折り曲げ方向と同一方向に折り曲げて、前記正面板１の外端側にある側面板２と、背面板４上に折り返された貼着板４ａとを重ね合わせ、その重ね合わせ面を接着剤（粘着テープ）等にて貼着してサック貼りし、偏平な四角形状筒状体の側壁板部Ａを形成する。
【００２４】
次に、偏平な四角形状筒状体の側壁板部Ａを立ち起こした後、折目ｇ、ｇを介して下フラップ２ａ、２ａを側壁板部Ａ内方に折り込み、続いて、折目ｅ、ｉを介して底面板３、６を側壁板部Ａ内方に折り込んで重ね合わせ、重ね合わせ面を接着剤（粘着テープ）等にて貼着して、底壁板部Ｂを形成する。
【００２５】
次に、側壁板部Ａと底壁板部Ｂの形成された窓付きカートンの中に、食品、日用品、化粧品などの適宜なる内容物を収容した後、折目ｆ、ｆを介して上フラップ２ａ、２ａをカートン内方に水平方向に折り曲げ、折目ｊを介して上面板５の差込片５ａを直角に折り曲げ、折目ｈを介して上面板５を折り曲げて、カートンの正面板１内面の上端部１ｂ（Ｌ）に張り出している透明フィルム７の上端部７ａ内面と上フラップ２ａ、２ａの端縁との隙間に沿って、差込片５ａを差し込み、カートンの施蓋と封鎖を行い、図２に示す本発明の窓付きカートンが完成する。
【００２６】
なお本発明の窓付きカートンにおいて、複数枚の外壁板から構成される筒状体の側壁板部Ａは、四枚の外壁板から構成される四角形状の筒状体の他に、三枚の外壁板から構成される三角形筒状体、四枚の外壁板から構成される四角形筒状体の側壁板部Ａなど、複数枚の外壁板から構成される角形筒状体の側壁板部Ａであってもよい。また本発明の窓付きカートンにおいては、前記筒状体の側壁板部Ａは、一枚の外壁板から構成される円筒、楕円筒形状体の側壁板部Ａであってもよい。
【００２７】
本発明において使用するカートンブランクシートは、側壁板部Ａを構成する外壁板（カートンの正面板１に相当する部位）の裏面側に、その外壁板に孔設した窓孔部１ａを被覆して、差し込み、又は貼着される透明フィルムＦ（７）が、その外壁板の上端部（正面板１の上端部１ｂ（Ｌ）相当部）から張り出すように設けられていれば、図４に示すカートンブランクシートの構成に限定するものではなく、また底壁板部Ｂを構成する底面板や下フラップ等の形状、連設配置に関しても特に限定するものではない。
【００２８】
本発明の窓付きカートンの製箱に使用する上記ブランクシートの素材としては、本発明においては特に限定するものではなく、例えば、コートボール紙等のパッケージ用厚紙、板紙、あるいは、ダンボール紙タイプの板紙（Ａ、Ｂ、Ｃダンボール等）、あるいは着色、無着色、透明乃至半透明な、硬質のプラスチックフィルム、プラスチックシート等が使用できる。特にプラスチックシートやフィルムにより窓貼りされる本発明の窓付きカートン本体を、プラスチックシートやフィルムを用いて製箱することにより、カートンの廃棄回収処理における分別処理が容易になる。
【００２９】
また、本発明の窓付きカートンの窓孔部１ａの窓貼りに使用する合成樹脂シートや合成樹脂フィルムＦ（７）としては、本発明においては、特に限定するものではないが、カートン内に収納する内容物がカートン外側から観察できるように硬質又は軟質の透明フィルムが好適であり、ポリエチレン、ポリプロピレン、ポリスチレン等の合成樹脂が採用できる。
【符号の説明】
【００３０】
Ａ…側壁板部
Ｂ…底壁板部
Ｃ…上壁板部
Ｆ（７）…透明フィルム
Ｌ…不連続部
１…正面板
１ａ（ｗ）…窓孔部
１ｂ…上端部
２、２…側面板
２ａ、２ａ…上フラップ板
２ｂ、２ｂ…下フラップ板
３、６…底面板
４…背面板
４ａ…貼着板
５…上面板
５ａ差込片
７（Ｆ）…透明フィルム
８…貼着領域
【図１】
2013014372.tif 000003
【図２】
2013014372.tif 000004
【図３】
2013014372.tif 000005
【図４】
2013014372.tif 000006
【図５】
2013014372.tif 000007
【図６】
2013014372.tif 000008